(57)【要約】  【課題】  既存ＭＤシステムのディスクを新規ＭＤシステムで使用したり、新規ＭＤシステムのディスクを既存ＭＤシステムで使用できるようにする。  【解決手段】  未使用ディスクが装着されたら、Ｕ−ＴＯＣにデータ無しの管理情報が書かれたブランクディスクの状態に初期化してから、記録を行うようにする。また、既存ＭＤシステムのディスクまたは新規ＭＤシステムのディスクは、初期化するとブランクディスクになるようにする。このように、フランクディスクに初期化してから、新規ＭＤの使用または既存ＭＤの仕様で記録することで、既存ＭＤシステムのディスクを新規ＭＤシステムで使用したり、新規ＭＤシステムのディスクを既存ＭＤシステムで使用できる。【選択図】        図１１
2005056531.tif 000002
【特許請求の範囲】
【請求項１】
記録媒体の所定の位置に管理領域が設けられ、前記管理領域により、各トラックに記録される第１の仕様のデータが管理される第１の仕様と、前記記録媒体の所定の位置に管理領域が設けられ、前記管理領域により、前記第１の仕様とは異なる第２の仕様であることを知らせるトラックと前記第２の仕様のデータの記録領域とが管理され、前記第２の仕様のデータの記録領域に、前記第２の仕様の記録領域に記録されるデータを管理する管理領域が設けられる第２の仕様とに記録可能な記録媒体に前記第１の仕様または前記第２の仕様でデータを記録する記録手段と、
前記記録媒体にデータが未記録であることを示す情報を前記管理領域に記録させるよう前記記録手段を制御する記録制御手段と
を備えるようにしたことを特徴とする記録装置。
【請求項２】
前記記録制御手段は、未使用の記録媒体が装着されると、前記未使用の記録媒体を、記録媒体の所定の位置に管理領域が設けられ、前記管理領域にデータが未記録であることを示す情報が記録されるように初期化するようにしたことを特徴とする請求項１に記載の記録装置。
【請求項３】
記録媒体の所定の位置に管理領域が設けられ、前記管理領域により、各トラックに記録される第１の仕様のデータが管理される第１の仕様と、前記記録媒体の所定の位置に管理領域が設けられ、前記管理領域により、前記第１の仕様とは異なる第２の仕様であることを知らせるトラックと前記第２の仕様のデータの記録領域とが管理され、前記第２の仕様のデータの記録領域に、前記第２の仕様の記録領域に記録されるデータを管理する管理領域が設けられる第２の仕様とに記録可能な記録媒体に前記第１の仕様または前記第２の仕様でデータを記録する記録手段と、
装着された記録媒体が前記第１の仕様の記録媒体か、前記第２の仕様の記録媒体か、未使用記録媒体かを判断する判断手段と、
前記装着された記録媒体が前記第１の仕様の記録媒体の場合には、前記第１の仕様でデータの記録を行い、前記装着された記録媒体が第２の仕様の記録媒体の場合には、前記第２の仕様でデータの記録を行い、前記装着された記録媒体が未使用記録媒体の場合には、前記管理領域にデータが未記録であることを示8.7報が記録されるように初期化した後に、前記第１の仕様または前記第２の仕様でデータの記録を行い、前記装着された記録媒体が未使用記録媒体に前記第２の仕様でデータの記録を行う際に、前記第２の仕様でデータの記録を行った後に、前記第１の仕様とは異なる第２の仕様であることを知らせるトラックの記録を行うように制御する制御手段と
を備えることを特徴とする記録装置。
【請求項４】
記録媒体の所定の位置に管理領域が設けられ、前記管理領域により、各トラックに記録される第１の仕様のデータが管理される第１の仕様と、前記記録媒体の所定の位置に管理領域が設けられ、前記管理領域により、前記第１の仕様とは異なる第２の仕様であることを知らせるトラックと前記第２の仕様のデータの記録領域とが管理され、前記第２の仕様のデータの記録領域に、前記第２の仕様の記録領域に記録されるデータを管理する管理領域が設けられる第２の仕様とに記録可能な記録媒体を初期化する際に、
記録媒体の所定の位置に管理領域が設けられ、前記管理領域にデータが未記録であることを示す情報が記録される記録媒体に初期化する
ようにしたことを特徴とする記録方法。
【請求項５】
未使用の記録媒体が装着されると、前記未使用の記録媒体を、記録媒体の所定の位置に管理領域が設けられ、前記管理領域にデータが未記録であることを示す情報が記録されるように初期化するようにしたことを特徴とする請求項４に記載の記録方法。
【請求項６】
記録媒体の所定の位置に管理領域が設けられ、前記管理領域により、各トラックに記録される第１の仕様のデータが管理される第１の仕様と、前記記録媒体の所定の位置に管理領域が設けられ、前記管理領域により、前記第１の仕様とは異なる第２の仕様であることを知らせるトラックと前記第２の仕様のデータの記録領域とが管理され、前記第２の仕様のデータの記録領域に、前記第２の仕様の記録領域に記録されるデータを管理する管理領域が設けられる第２の仕様とに記録可能な記録媒体にデータを記録する際に、
装着された記録媒体が前記第１の仕様の記録媒体か、前記第２の仕様の記録媒体か、未使用記録媒体かを判断し、
前記装着された記録媒体が前記第１の仕様の記録媒体の場合には、前記第１の仕様でデータの記録を行い、
前記装着された記録媒体が第２の仕様の記録媒体の場合には、前記第２の仕様でデータの記録を行い、
前記装着された記録媒体が未使用記録媒体の場合には、前記管理領域にデータが未記録であることを示す情報が記録されるように初期化した後に、前記第１の仕様または前記第２の仕様でデータの記録を行い、
前記装着された記録媒体が未使用記録媒体に前記第２の仕様でデータの記録を行う際に、前記第２の仕様でデータの記録を行った後に、前記第１の仕様とは異なる第２の仕様であることを知らせるトラックの記録を行う
ようにしたことを特徴とする記録方法。
【発明の詳細な説明】
【技術分野】
【０００１】
本発明は、ＭＤのディスクにデータを記録する記録装置および方法に関するもので、特に、Ｕ−ＴＯＣによりデータを管理する既存の仕様と、ＦＡＴによりデータを管理する新規の仕様とに対応できる記録装置および方法に関する。
【背景技術】
【０００２】
ディジタルオーディオデータを記録再生するための記録媒体として、カートリッジに収納された直径６４ｍｍの光磁気ディスクであるミニディスク（ＭＤ）が広く普及している。ＭＤシステムでは、例えば特許文献１に示されるように、オーディオデータの圧縮方式として、ＡＴＲＡＣ（Adaptive TRansform Acoustic Coding)が用いられている。ＡＴＲＡＣは、所定の時間窓で取り込まれたオーディオデータを、ＭＤＣＴ（Modified Discrete Cosine Transform )を用いて圧縮符号化するものである。ＡＴＲＡＣにより、音楽データは１／５〜１／１０に圧縮される。
【０００３】
また、エラー訂正方式として、ＡＣＩＲＣ(Advanced Cross Interleave Reed-Solomon Code)と呼ばれる畳み込み符号が用いられ、変調方式には、ＥＦＭが用いられている。ＡＣＩＲＣは、Ｃ１系列（垂直方向）とななめ方向（Ｃ２系列）とに二重にエラー訂正符号化を行う畳み込み符号であり、オーディオデータのようなシーケンシャルなデータに対しては、強力なエラー訂正処理が行える。
【０００４】
また、音楽データの管理には、Ｕ−ＴＯＣ（ユーザＴＯＣ（Table Of Content
s)）が用いられている。すなわち、ディスクのレコーダブル領域の内周には、Ｕ−ＴＯＣと呼ばれる領域が設けられる。Ｕ−ＴＯＣは、現行のＭＤシステムにおいて、トラック（オーディオトラック／データトラック）の曲順、記録、消去などに応じて書き換えられる管理情報であり、各トラック（トラックを構成するパーツ）について、開始位置、終了位置や、モードを管理するものである。
【０００５】
ＭＤシステムのディスクは、小型で安価であり、オーディオデータの記録再生用としては優れた特性を有している。このため、ＭＤシステムは、これまで、広く普及してきている。しかしながら、時代の変遷とともに、現行のＭＤシステムに対して、いくつか改善が要求されるようになってきている。
【０００６】
その一つは、コンピュータとの親和性である。すなわち、パーソナルコンピュータやネットワークの普及により、オーディオデータをネットワーク上で配信する音楽配信が盛んに行われるようになってきている。また、パーソナルコンピュータをオーディオサーバとして使い、ユーザが気に入った曲を携帯型の再生機にダウンロードして、音楽再生を行うようなことが行われている。現行のＭＤシステムでは、Ｕ−ＴＯＣを用いてデータを管理していたため、パーソナルコンピュータとの親和性が十分でない。このため、例えばＦＡＴシステムなどの汎用の管理システムを導入して、パーソナルコンピュータとの親和性を高めることが望まれる。
【０００７】
また、パーソナルコンピュータとの親和性が高くなると、オーディオデータを簡単にコピーできるようになり、オーディオデータの著作権を保護する必要性が増大する。このため、オーディオデータを暗号化して記録し、著作権の保護をより強力にすることが望まれる。
【０００８】
更に、現行のＭＤシステムのディスクは、記録容量が１６０ＭＢ程度であり、
いまや、大容量とは言い難くなっている。そこで、現行のＭＤとの互換性を確保しつつ、記録容量を増大させることが望まれている。
【０００９】
そこで、本願出願人は、先に、現行のＭＤシステムと同様のディスクを使い、記録容量が増大された新規ＭＤシステムを提案している。この新規ＭＤシステムでは、現行のパーソナルコンピュータとの親和性が図れるように、ファイル管理システムとしてＦＡＴ（File Allocation Table）システムを使って、オーディオデータのようなコンテンツデータを記録再生するようにしている。また、現行のＭＤシステムに対して、エラー訂正方式や変調方式を改善することにより、データの記録容量の増大を図るとともに、データの信頼性を高めるようにしている。更に、コンテンツデータを暗号化するとともに、不正コピーを防止して、コンテンツデータの著作権の保護が図れるようにしている。
【００１０】
このような新規ＭＤシステムが登場すると、既存のＭＤシステムのデータが記録されたディスクと、新規ＭＤシステムのデータが記録されたディスクとが混在する。既存のＭＤシステムによりデータが記録されたディスクと、新規ＭＤシステムによりデータが記録されたディスクとを区別するために、新規ＭＤシステムのディスクには、アラートトラックが設けられる。アラートトラックは重要なトラックであるため、消去禁止とされる。既存のＭＤシステムのプレーヤに新規ＭＤシステムのディスクが装着されると、アラートトラックが再生され、アラート音が出力される。これにより、装着されたディスクが新規ＭＤシステムでデータが記録されていることがわかる。
【００１１】
新規ＭＤシステムでは、上述のように、アラートトラックとＦＡＴ領域トラックを確保して、データを記録する必要がある。このため、未使用ディスクに新規ＭＤシステムでデータを記録するときには、新規ＭＤディスクへの初期化が行われる。この初期化処理により、ディスクにＦＡＴ領域が確保され、Ｕ−ＴＯＣと、アラートトラックとが形成される。
【特許文献１】特開平６−３３３３６７号公報
【発明の開示】
【発明が解決しようとする課題】
【００１２】
ところが、従来、このように新規ＭＤディスクへの初期化をすると、既存のＭＤシステム用のディスクとして使えなくなるという問題が生じる。
【００１３】
すなわち、例えば、新規ＭＤシステムによりデータが記録されていたディスクが不要になったので、既存のＭＤシステムで、データを記録し直すようなことが想定される。あるいは、未使用ディスクを購入して、とりあえず新規ＭＤシステム用のフォーマットを行ったが、新規ＭＤ用のフォーマットを解除して、このディスクに既存のＭＤシステムのデータ記録することが想定される。
【００１４】
このような場合、「オールイレーズ」操作を行ってから、既存のＭＤシステムのフォーマットで、データを記録することが考えられる。
【００１５】
ところが、一度、新規ＭＤ用のデータを記録したディスクには、アラートトラックが記録される。このアラートトラックの記録モードは「消去不可」となっている。このため、アラートトラックが消去できず、「オールイレーズ」の操作が行えない。
【００１６】
新規ＭＤシステムによりデータが記録されていたディスクを、新規ＭＤディスクに初期化してから、「オールイレーズ」操作を行って、既存のＭＤシステムの仕様で、データを記録することが考えられる。しかしながら、新規ＭＤディスクへの初期化のときに、アラートトラックが記録されてしまい、「オールイレーズ」操作が行えない。
【００１７】
本発明は、上述の課題を鑑み、Ｕ−ＴＯＣによりデータを管理する既存のＭＤシステムの仕様と、ＦＡＴによりデータを管理する新規の仕様とに対応できる新規ＭＤの仕様とに対応できる記録装置および方法において、既存ＭＤシステムのディスクを新規ＭＤシステムで使用したり、新規ＭＤシステムのディスクを既存ＭＤシステムで使用することができるようにした記録装置および方法を提供することを目的とするものである。
【課題を解決するための手段】
【００１８】
上述の課題を解決するために、第１の発明の記録媒体記録装置は、記録媒体の所定の位置に管理領域が設けられ、前記管理領域により、各トラックに記録される第１の仕様のデータが管理される第１の仕様と、前記記録媒体の所定の位置に管理領域が設けられ、前記管理領域により、前記第１の仕様とは異なる第２の仕様であることを知らせるトラックと前記第２の仕様のデータの記録領域とが管理され、前記第２の仕様のデータの記録領域に、前記第２の仕様の記録領域に記録されるデータを管理する管理領域が設けられる第２の仕様とに記録可能な記録媒体にデータを記録する記録手段と、前記記録媒体にデータが未記録であることを示す情報を前記管理領域に記録させるよう前記記録手段を制御する記録制御手段とを備えるようにしたことを特徴とする。
【００１９】
また、第２の発明の記録媒体記録装置は、記録媒体の所定の位置に管理領域が設けられ、前記管理領域により、各トラックに記録される第１の仕様のデータが管理される第１の仕様と、前記記録媒体の所定の位置に管理領域が設けられ、前記管理領域により、前記第１の仕様とは異なる第２の仕様であることを知らせるトラックと前記第２の仕様のデータの記録領域とが管理され、前記第２の仕様のデータの記録領域に、前記第２の仕様の記録領域に記録されるデータを管理する管理領域が設けられる第２の仕様とに記録可能な記録媒体にデータを記録する記録手段と、装着された記録媒体が前記第１の仕様の記録媒体か、前記第２の仕様の記録媒体か、未使用記録媒体かを判断する判断手段と、前記装着された記録媒体が前記第１の仕様の記録媒体の場合には、前記第１の仕様でデータの記録を行い、前記装着された記録媒体が第２の仕様の記録媒体の場合には、前記第２の仕様でデータの記録を行い、前記装着された記録媒体が未使用記録媒体の場合には、前記管理領域にデータが未記録であることを示す情報が記録されるように初期化した後に、前記第１の仕様または前記第２の仕様でデータの記録を行い、前記装着された記録媒体が未使用記録媒体に前記第２の仕様でデータの記録を行う際に、前記第２の仕様でデータの記録を行った後に、第１の仕様とは異なる第２の仕様であることを知らせるトラックの記録を行うように制御する制御手段とを備えることを特徴とする。
【００２０】
また、第３の発明の記録媒体記録方法は、記録媒体の所定の位置に管理領域が設けられ、前記管理領域により、各トラックに記録される第１の仕様のデータが管理される第１の仕様と、前記記録媒体の所定の位置に管理領域が設けられ、前記管理領域により、前記第１の仕様とは異なる第２の仕様であることを知らせるトラックと前記第２の仕様のデータの記録領域とが管理され、前記第２の仕様のデータの記録領域に、前記第２の仕様の記録領域に記録されるデータを管理する管理領域が設けられる第２の仕様とに記録可能な記録媒体を初期化する際に、記録媒体の所定の位置に管理領域が設けられ、前記管理領域にデータが未記録であることを示す情報が記録される記録媒体に初期化するようにしたことを特徴とする、
また、第４の発明の記録媒体記録方法は、記録媒体の所定の位置に管理領域が設けられ、前記管理領域により、各トラックに記録される第１の仕様のデータが管理される第１の仕様と、前記記録媒体の所定の位置に管理領域が設けられ、前記管理領域により、前記第１の仕様とは異なる第２の仕様であることを知らせるトラックと前記第２の仕様のデータの記録領域とが管理され、前記第２の仕様のデータの記録領域に、前記第２の仕様の記録領域に記録されるデータを管理する管理領域が設けられる第２の仕様とに記録可能な記録媒体にデータを記録する際に、装着された記録媒体が前記第１の仕様の記録媒体か、前記第２の仕様の記録媒体か、未使用記録媒体かを判断し、前記装着された記録媒体が前記第１の仕様の記録媒体の場合には、前記第１の仕様でデータの記録を行い、前記装着された記録媒体が第２の仕様の記録媒体の場合には、前記第２の仕様でデータの記録を行い、前記装着された記録媒体が未使用記録媒体の場合には、前記管理領域にデータが未記録であることを示す情報が記録されるように初期化した後に、前記第１の仕様または前記第２の仕様でデータの記録を行い、前記装着された記録媒体が未使用記録媒体に前記第２の仕様でデータの記録を行う際に、前記第２の仕様でデータの記録を行った後に、前記第１の仕様とは異なる第２の仕様であることを知らせるトラックの記録を行うようにしたことを特徴とする。
【００２１】
第１の発明および第３の発明によれば、記録媒体を初期化する際に、前記初期化手段は、記録媒体の所定の位置に管理領域が設けられ、前記管理領域にデータが未記録であることを示す情報が記録される記録媒体に初期化するようにしている。このため、第１の仕様で使っていた記録媒体を初期化して、第２の仕様の記録媒体として使ったり、その反対に、第２の仕様で使っていた記録媒体を初期化して、第１の仕様の記録媒体として使うことができる。
【００２２】
第２発明および第４の発明によれば、前記装着された記録媒体が未使用記録媒体の場合には、前記管理領域にデータが未記録であることを示す情報が記録されるように初期化した後に、前記第１の仕様または前記第２の仕様でデータの記録を行い、前記装着された記録媒体が未使用記録媒体に前記第２の仕様でデータの記録を行う際に、前記第２の仕様でデータの記録を行った後に、第２の仕様であることを知らせるトラックの記録を行うようにしている。このように、第２の仕様で記録を行う場合には、管理領域にデータが未記録であることを示す情報が記録されるように初期化して、データが記録された後に、第２の仕様であることを知らせるトラックの記録を行うようにしている。初期化時に、アラートトラックが記録されないので、第１の仕様で使っていた記録媒体を初期化して、第２の仕様の記録媒体として使ったり、その反対に、第２の仕様で使っていた記録媒体を初期化して、第１の仕様の記録媒体として使うことができる。
【発明の効果】
【００２３】
第１の発明および第３の発明によれば、ディスクを初期化する際に、前記初期化手段は、ディスクの所定の位置に管理領域が設けられ、前記管理領域にデータが未記録であることを示す情報が記録されるディスクに初期化するようにしている。このため、第１の仕様で使っていたディスクを初期化して、第２の仕様のディスクとして使ったり、その反対に、第２の仕様で使っていたディスクを初期化して、第１の仕様のディスクとして使うことができる。
【００２４】
第２発明および第４の発明によれば、前記装着されたディスクが未使用ディスクの場合には、前記管理領域にデータが未記録であることを示す情報が記録されるように初期化した後に、前記第１の仕様または前記第２の仕様でデータの記録を行い、前記装着されたディスクが未使用ディスクに前記第２の仕様でデータの記録を行う際に、前記第１の仕様でデータの記録を行った後に、第２の仕様であることを知らせるトラックの記録を行うようにしている。このように、第２の仕様で記録を行う場合には、管理領域にデータが未記録であることを示す情報が記録されるように初期化して、データが記録された後に、第２の仕様であることを知らせるトラックの記録を行うようにしている。初期化時に、アラートトラックが記録されないので、第１の仕様で使っていたディスクを初期化して、第２の仕様のディスクとして使ったり、その反対に、第２の仕様で使っていたディスクを初期化して、第１の仕様のディスクとして使うことができる。
【発明を実施するための最良の形態】
【００２５】
１．ディスクの概要
以下、本発明の実施の形態について図面を参照して説明する。図１は、本発明が適用できるＭＤのディスク１００の構成を示すものである。ＭＤのディスク１００は、カートリッジに収納された直径６４ｍｍの光磁気ディスクである。ディスク１００の厚みは１．２ｍｍであり、その中央に１１ｍｍの径のセンターホールが設けられている。カートリッジの形状は、長さ６８ｍｍ、幅７２ｍｍ、厚さ５ｍｍである。
【００２６】
ＭＤのディスク１００は、透明のポリカーボネート基板上に、誘電体膜と、磁性膜と、誘電体膜と、反射膜とを積層して構成される。更に、その上に、保護膜が積層される。図１に示すように、ディスク１００の内周に、リードイン領域１０１が設けられる。リードイン領域１０１は、物理的な構造としては、プリマスタード領域となっている。リードイン領域１０１に、Ｐ−ＴＯＣ（プリマスタードＴＯＣ（Table Of Contents)）領域が設けられる。Ｐ−ＴＯＣには、エンボスピットにより、コントロール情報等が記録されている。Ｐ−ＴＯＣ領域が設けられるリードイン領域１０１の外周は、レコーダブル領域（光磁気記録可能な領域）１０２とされ、記録トラックの案内溝としてグルーブが形成された記録再生可能領域となっている。レコーダブル領域１０２の外周に、リードアウト領域１０３が設けられる。
【００２７】
後に説明するように、レコーダブル領域１０２の内周には、Ｕ−ＴＯＣ（ユーザＴＯＣ（Table Of Contents)）と呼ばれる音楽データの管理領域が設けられることになる。新品のディスクには、図２に示すように、Ｕ−ＴＯＣは形成されていない。図２に示すように、レコーダブル領域１０２にＵ−ＴＯＣ領域が設けられていないディスク１００ａを、以下、「未使用ディスク」と呼ぶことにする。
２．既存ＭＤの仕様
図３は、このＭＤのディスクに、既存のＭＤシステムでデータを記録したときのレコーダブル領域のデータ構成を示すものである。既存のＭＤシステムでは、ＭＤのディスク１００のレコーダブル領域１０２に、圧縮されたオーディオデータＭ１、Ｍ２、Ｍ３、…が記録される。なお、音楽データＭ１、Ｍ２、Ｍ３、…は物理的に連続的に記録する必要はなく、複数のパーツに渡って記録されていても良い。オーディオデータの圧縮方式として、ＡＴＲＡＣ（Adaptive TRansform Acoustic Coding)が用いられている。ＡＴＲＡＣは、所定の時間窓で取り込まれたオーディオデータを、ＭＤＣＴ（Modified Discrete Cosine Transform )を用いて圧縮符号化するものである。ＡＴＲＡＣにより、音楽データは１／５〜１／１０に圧縮される。
【００２８】
また、エラー訂正方式として、ＡＣＩＲＣ(Advanced Cross Interleave Reed-Solomon Code)と呼ばれる畳み込み符号が用いられ、変調方式には、ＥＦＭ(8 to 14 Modulation)が用いられている。ＡＣＩＲＣは、Ｃ１系列（垂直方向）とななめ方向（Ｃ２系列）とに二重にエラー訂正符号化を行う畳み込み符号であり、オーディオデータのようなシーケンシャルなデータに対しては、強力なエラー訂正処理が行える。ＡＣＩＲＣ方式やＥＦＭは、基本的には、既存のコンパクトディスク（ＣＤ）と同様なものが採用されている。
【００２９】
また、音楽データの管理には、Ｕ−ＴＯＣ（ユーザＴＯＣ（Table Of Contents)）が用いられている。すなわち、図３に示すように、ディスクのレコーダブル領域の内周には、Ｕ−ＴＯＣ領域１０５が設けられる。Ｕ−ＴＯＣ領域１０５には、管理情報が記録される。
【００３０】
Ｕ−ＴＯＣの情報はセクタ単位になっており、セクタ０〜セクタ４の情報が使われている。Ｕ−ＴＯＣセクタ０には、基本情報と、各曲のスタートアドレス及びエンドアドレスが記録される。また、Ｕ−ＴＯＣセクタ１には、ディスクネームやトラックネームの文字列情報をＡＳＣＩＩコード、半角カタカナコードで記録することができる。Ｕ−ＴＯＣセクタ２には、ディスクと各曲の録音年月日時分秒が記録できる。Ｕ−ＴＯＣセクタ４には、ディスクと各曲のタイトル、アーチスト名をＭｕｓｉｃ  Ｓｈｉｆｔ  ＪＩＳコード、ＡＳＣＩＩコードで記録できる。Ｕ−ＴＯＣセクタ０は必須であり、その他はオプションである。
【００３１】
図４は、Ｕ−ＴＯＣセクタ０の構成を示すものである。図４に示すように、Ｕ−ＴＯＣセクタ０には、先頭に所定のビットパターンのヘッダが設けられる。続いて所定アドレス位置に、最初の楽曲の曲番（Ｆｉｒｓｔ  ＴＮＯ）、最後の楽曲の曲番（ＬＡＳＴ  ＴＮＯ）、セクタ使用状況（Ｕｓｅｄ  Ｓｅｃｔｏｒｓ）、ディスクＩＤ（Ｄｉｓｃ  ＩＤ）等が記録される。
【００３２】
更に、ユーザが録音を行なって記録されている楽曲の領域やフリーエリア領域等の情報を指し示す各種のテーブルポインタが記録される。このテーブルポインタにより指し示されるポジションに、対応するパーツの起点となるスタートアドレスと、終端となるエンドアドレスと、そのモード情報（トラックモード）が記録されている。トラックのモード情報とは、そのトラックが例えばオーバーライト禁止やデータ複写禁止、消去禁止に設定されているか否かの情報や、オーディオ情報か否か、モノラル／ステレオの種別等が記録されている。更に、各パーツテーブルで示されるパーツが他のパーツへ続いて連結される場合があるため、その連結されるパーツのスタートアドレス及びエンドアドレスが記録されているパーツテーブルのポジションを指し示すリンク情報が記録される。
【００３３】
テーブルポインタＰ−ＤＦＡは、ディスク上に欠陥領域がある場合に、その欠陥領域の先頭のパーツテーブルのポジションを指し示すポインタである。つまり、欠陥パーツが存在する場合は、テーブルポインタＰ−ＤＦＡにおいて指し示されるポジションのパーツテーブルに、欠陥が存在する部分のスタート及びエンドアドレスが示される。また、他にも欠陥パーツが存在する場合、そのパーツテーブルのポジションがリンク情報により指し示される。他の欠陥パーツがない場合には、リンク情報は例えば（００ｈ）とされ、以降リンクなしとされる。
【００３４】
テーブルポインタＰ−ＥＭＰＴＹは、未使用パーツテーブルの先頭のパーツテーブルのポジションを指し示すポインタである。テーブルポインタＰ−ＥＭＰＴＹによって指定されたパーツテーブルに、未使用領域の部分のスタート及びエンドアドレスが示される。更に、未使用のパーツテーブルが複数存在する場合は、リンク情報によって、順次パーツテーブルのポジションが指定される。他の未使用領域がない場合には、リンク情報は例えば（００ｈ）とされ、以降リンクなしとされる。
【００３５】
テーブルポインタＰ−ＦＲＡは、書込可能なフリーエリア（消去領域を含む）の先頭のパーツテーブルのポジションを指し示すポインタである。このようなパーツが複数個あり、つまりパーツテーブルが複数個なる場合には、リンク情報により、順次パーツテーブルが指定される。他のフリーエリアがない場合には、リンク情報は例えば（００ｈ）とされ、以降リンクなしとされる。
【００３６】
テーブルポインタＰ−ＴＮＯ１〜Ｐ−ＴＮＯ２５５は、ユーザが記録した各楽曲についての先頭のパーツテーブルのポジションを指し示すポインタである。すなわち、テーブルポインタＰ−ＴＮＯ１は、１曲目とされた楽曲のデータのスタート及びエンドアドレスが記録されたパーツテーブルのポジションが指し示され、テーブルポインタＰ−ＴＮＯ２は、２曲目とされた楽曲のデータのスタート及びエンドアドレスが記録されたパーツテーブルのポジションが指し示され、テーブルポインタＰ−ＴＮＯ３は、３曲目とされた楽曲のデータのスタート及びエンドアドレスが記録されたパーツテーブルのポジションが指し示される。また、１つの楽曲のデータは、物理的に不連続に、即ち複数のパーツに渡って記録されていても良い。１つの楽曲が複数のパーツに分割されて記録されている場合には、リンク情報により、順次パーツテーブルのポジションが指し示される。他のパーツテーブルに楽曲が続いていない場合には、リンク情報は例えば（００ｈ）とされ、以降リンクなしとされる。
【００３７】
以上のように、ＭＤのディスク１００を、既存のＭＤシステムのディスクとして用いると、図３にしたように、音楽データＭ１、Ｍ２、Ｍ３、…がレコーダブル領域１０２に記録される。そして、各音楽データＭ１、Ｍ２、Ｍ３、…がＵ−ＴＯＣにより管理される。このように、レコーダブル領域１０２に音楽データＭ１、Ｍ２、Ｍ３、…が記録され、この音楽データＭ１、Ｍ２、Ｍ３、…がＵ−ＴＯＣ領域１０２のデータにより管理されているようなディスク１００ｂを、以下、「既存ＭＤディスク」と称することにする。
【００３８】
図２に示したように、Ｕ−ＴＯＣ領域１０２は、未使用ディスク１００ａには設けられていない。ディスク１００に音楽データＭ１、Ｍ２、Ｍ３、…を書き込み、ディスクが排出されるときに、Ｕ−ＴＯＣ領域１０２が形成され、Ｕ−ＴＯＣ領域１０２に、記録データに応じて、Ｕ−ＴＯＣデータが記録される。
【００３９】
既存ＭＤディスク１００ｂのデータの削除は、Ｕ−ＴＯＣを書き換えることにより行える。ディスク１００ｂに記録されていたデータを全て削除すると、図５に示すように、「データ無し」のＵ−ＴＯＣデータが記録される。このように、「データ無し」のＵ−ＴＯＣデータが記録されたディスク１００ｃを、以下、「ブランクディスク」と称することにする。
３．次世代ＭＤの仕様
次に、次世代ＭＤシステムについて説明する。図６は、次世代ＭＤディスク１００ｄの構成を示すものである。図６（Ａ）に示すように、レコーダブル領域１０２の先頭（内周側）には、Ｕ−ＴＯＣ領域１０５が設けられる。そして、レコーダブル領域１０２には、アラートトラック１０６と、ＦＡＴ領域トラック１０７とが記録される。
【００４０】
アラートトラック１０６には、警告音が記録される。既存のＭＤシステムのプレーヤで次世代ＭＤディスク１００ｄが再生されると、まず、アラートトラック１０６が再生される。この警告音から、既存のＭＤシステムのプレーヤでは再生できないことが示される。アラートトラック１０６は重要なトラックであり、アラートトラック１０６が消されてしまうと、次世代ＭＤディスク１００ｄが既存ＭＤシステムで再生されてしまう可能性がある。このため、アラートトラック１０６は、消去禁止のトラックとされている。すなわち、Ｕ−ＴＯＣのアラートトラックの記録モードが消去禁止になっている。
【００４１】
ＦＡＴ領域トラック１０７は、次世代ＭＤのシステムで、データを記録するのに用いる領域である。次世代ＭＤでは、このＦＡＴ領域トラック１０７に、ＦＡＴシステムのファイルとして管理されてデータが記録される。また、音楽データの管理には、ＦＡＴシステム上のアプリケーションが使われる。なお、ＦＡＴ領域トラック１０７は、既存のＭＤシステムで音楽データが記録されるトラックとは本質的に異なるが、Ｕ−ＴＯＣ上では１つのトラックとして管理されているので、ここでは、トラックと称することにする。
【００４２】
レコーダブル領域１０２のうち、Ｕ−ＴＯＣ領域１０５およびアラートトラック１０６が含まれる領域は、既存のＭＤシステムのプレーヤでも再生できるように、ＥＦＭでデータが変調されて記録される。これに対して、ＦＡＴ領域トラック１０７は、１−７ｐｐ変調でデータが変調されている。レコーダブル領域１０２のうち、ＥＦＭ変調でデータが変調されて記録される領域と、１−７ｐｐ変調でデータが変調されて記録される領域との間には、ガードバンド１０８が設けられる。
【００４３】
次世代ＭＤの仕様のディスクにおいては、Ｕ−ＴＯＣ領域１０５には、アラートトラック１０６のスタートアドレスおよびエンドアドレスと、ＦＡＴ領域トラック１０７のスタートアドレスおよびエンドアドレスが記録される。ＦＡＴ領域トラック１０７のエンドアドレスは、ディスクの終端になっている。そして、アラートトラック１０６のモードは、消去禁止となっている。したがって、Ｕ−ＴＯＣのデータからは、トラック数が２つあり、最初のトラック（アラートトラック１０６に相当する）の記録モードが消去禁止で、次のトラック（ＦＡＴ領域トラック１０７に相当する）のエンドアドレスがディスクの終端に相当する場合には、「次世代ＭＤディスク」であると判断できる。
【００４４】
ＦＡＴ領域トラック１０７の先頭（内周側）には、図６（Ｂ）に示すように、ＤＤＴ(Disc Description Table)領域１１１と、リザーブトラック１１２が設けられる。ＤＤＴ領域１１１には、物理的に欠陥のあるセクタ（レコーディングブロック）に対する交替セクタ処理をするために設けられる。ＤＤＴ領域１１１には、さらに、ユニークＩＤ（ＵＩＤ）が記録される。ＵＩＤは、記録媒体毎に固有の識別コードであって、例えば所定に発生された乱数に基づく。セキュアトラックは、コンテンツの保護を図るための情報が格納される。
【００４５】
更に、ＦＡＴ領域トラック１０７には、ＦＡＴ（File Allocation Table）管理領域１１３が設けられる。ＦＡＴ管理領域１１３は、ＦＡＴシステムでデータを管理するための領域である。ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
【００４６】
既存のＭＤシステムでは、エラー訂正方式として、畳み込み符号であるＡＣＩＲＣが用いられており、サブコードブロックのデータ量に対応する２３５２バイトからなるセクタを記録再生のアクセス単位としている。畳み込み符号の場合には、エラー訂正符号化系列が複数のセクタに跨るため、データを書き換える際には、隣接するセクタ間に、リンキングセクタを用意する必要がある。アドレス方式としては、シングルスパイラルによるグルーブを形成したうえで、このグルーブの両側に対してアドレス情報としてのウォブルを形成したウォブルドグルーブ方式であるＡＤＩＰが使われている。既存のＭＤシステムでは、２３５２バイトからなるセクタをアクセスするのに最適なように、ＡＤＩＰ信号が配列されている。
【００４７】
これに対して、次世代ＭＤのシステムの仕様では、ＲＳ−ＬＤＣ（Reed Solomon−Long Distance Code）とＢＩＳ（Burst Indicator Subcode）とを組み合わせたブロック完結型の符号が用いられ、６４Ｋバイトを記録再生のアクセス単位としている。ブロック完結型の符号では、リンキングセクタは不要である。次世代ＭＤのシステムでは、１つのＡＤＩＰクラスタに、２つのレコーディングブロック（６４Ｋバイト）のデータを配置するようにしている
現行のＭＤシステムで用いられるディスクをそのまま流用する次世代ＭＤの仕様では、ディスク１枚当たりのデータ総記録容量は約３００Ｍバイト（８０分ディスクを用いた場合）になる。変調方式がＥＦＭから１−７ｐｐ変調とされることで、ウィンドウバージンが０．５から０．６６６となり、この点で、１．３３倍の高密度化が実現できる。また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００４８】
以上のように、次世代ＭＤシステムの仕様でデータを記録すると、図６（Ａ）に示すように、レコーダブル領域１０２に、アラートトラック１０６が記録され、ＦＡＴ領域トラック１０７が確保される。このように、レコーダブル領域１０２に、アラートトラック１０６が記録され、ＦＡＴ領域トラック１０７が確保されたディスク１００ｄを、以下、「次世代ＭＤディスク」と称することにする。
【００４９】
次世代ＭＤディスク１００ｄの場合には、Ｕ−ＴＯＣは、アラートトラック１０６とＦＡＴ領域トラック１０７とを管理している。このアラートトラック１０６とＦＡＴ領域トラック１０７の位置は決まっている。したがって、音楽データを書き換えても，Ｕ−ＴＯＣのデータは変更する必要はない。ＦＡＴ領域トラック１０７内のデータが書き換えられると、これに応じて、ＦＡＴテーブル１１２が書き換えられる。
【００５０】
なお、次世代ＭＤシステムで、音楽データを記録する場合のアプリケーションとしては、図７および図８に示すように、トラックインデックスファイル（ＴＩＦ）１３１と、オーディオデータファイル１３２とを用いることが提案されている。トラックインデックスファイル１３１およびオーディオデータファイル１３２は、ＦＡＴシステムで管理されるファイルである。
【００５１】
オーディオデータファイル１3２は、複数の音楽データが１つのファイルとして納められたものであり、ＦＡＴシステムでオーディオデータファイル１１２を見ると、巨大なファイルに見える。図８に示すように、オーディオデータファイル１１２は、その内部がパーツとして区切られ、オーディオデータは、パーツの集合として扱われる。
【００５２】
トラックインデックスファイル１3１は、オーディオデータファイル１3２に納められた音楽データを管理するための各種の情報が記述されたファイルである。図８に示すように、トラックインデックスファイル１3１は、プレイオーダテーブル１２１と、トラックインフォメーションテーブル１２２と、パーツインフォメーションテーブル１２３と、ネームテーブル１２４とを含む。
【００５３】
ファイルオーダテーブル１２１は、デフォルトで定義された再生順序を示すテーブルである。ファイルオーダテーブル１２１は、各トラックナンバ（曲番）についてのトラックインフォメーションテーブルのトラックデスクリプタへのリンク先を示す情報が格納されている。
【００５４】
トラックインフォメーションテーブル１２２は、各トラック毎（各曲毎）のトラックデスクリプタからなる。各トラックデスクリプタには、符号化方式、著作権管理情報、コンテンツの鍵情報、その楽曲が開始するエントリとなるパーツナンバへのポインタ情報、アーチストネーム、タイトルネーム、元曲順情報、録音時間情報等が記述されている。
【００５５】
パーツインフォメーションテーブル１２３は、パーツナンバから実際の楽曲の位置をアクセスするポインタが記述されている。パーツインフォメーションテーブル１２３は、各パーツ毎のパーツデスクリプタからなる。パーツデスクリプタのエントリは、トラックインフォメーションテーブル１２２により指し示される。各パーツデスクリプタは、オーディオデータファイル上のそのパーツの先頭のアドレスと、そのパーツの終了のアドレスと、そのパーツに続くパーツへのリンク先とが記述される。
【００５６】
ネームテーブル１２４は、ネームの実体となる文字を表すためのテーブルである。ネームテーブル１２４は、複数のネームスロットからなる。各ネームスロットは、ネームを示す各ポインタからリンクされて呼び出される。
４．記録再生装置の構成
次に、図９、図１０により、既存ＭＤの仕様のディスクと次世代ＭＤの仕様のディスクとに対応する記録再生装置の構成を説明する。
【００５７】
図９には、ディスクドライブ装置１が、例えばパーソナルコンピュータ６０と接続可能なものとして示している。ディスクドライブ装置１は、メディアドライブ部２、メモリ転送コントローラ３、クラスタバッファメモリ４、補助メモリ５、ＵＳＢ（Universal Serial Bus）インターフェース６、８、ＵＳＢハブ７、システムコントローラ９、オーディオ処理部１０を備えている。
【００５８】
メディアドライブ部２は、装填されたディスク１００に対する記録／再生を行う。ディスク１００は、未使用ディスク１００ａ、既存ＭＤディスク１００ｂ、ブランクディスク１００ｃ、または次世代ＭＤディスク１００ｄである。
【００５９】
メモリ転送コントローラ３は、メディアドライブ部２からの再生データやメディアドライブ部２に供給する記録データについての受け渡しの制御を行う。
【００６０】
クラスタバッファメモリ４は、メモリ転送コントローラ３の制御に基づいて、
メディアドライブ部２によってディスク１００のデータトラックからレコーディングブロック単位で読み出されたデータのバッファリングを行う。
【００６１】
補助メモリ５は、メモリ転送コントローラ３の制御に基づいて、メディアドライブ部２によってディスク１００から読み出された各種管理情報や特殊情報を記憶する。
【００６２】
システムコントローラ９は、ディスクドライブ装置１内の全体の制御を行うと共に、接続されたパーソナルコンピュータ６０との間の通信制御を行う。すなわち、システムコントローラ９は、ＵＳＢインターフェース８、ＵＳＢハブ７を介して接続されたパーソナルコンピュータ６０との間で通信可能とされ、書込要求、読出要求等のコマンドの受信やステイタス情報その他の必要情報の送信などを行う。
【００６３】
メモリ転送コントローラ3は、例えばディスク１００がメディアドライブ部２に装填されることに応じて、ディスク１００からの管理情報等の読出をメディアドライブ部２に指示し、読み出した管理情報等を補助メモリ５に格納させる。
【００６４】
パーソナルコンピュータ６０からのあるＦＡＴセクタの読出要求があった場合は、システムコントローラ９はメディアドライブ部２に、そのＦＡＴセクタを含むレコーディングブロックの読み出しを実行させる。読み出されたレコーディングブロックのデータはメモリ転送コントローラ３によってクラスタバッファメモリ４に書き込まれる。
【００６５】
メモリ転送コントローラ3はクラスタバッファメモリ４に書き込まれているレコーディングブロックのデータから、要求されたＦＡＴセクタのデータを読み出させ、ＵＳＢインターフェース６、ＵＳＢハブ７を介してパーソナルコンピュータ６０に送信させる制御を行う。
【００６６】
パーソナルコンピュータ６０からのあるＦＡＴセクタの書き込み要求があった場合は、メモリ転送コントローラ3はメディアドライブ部２に、まずそのＦＡＴセクタを含むレコーディングブロックの読み出しを実行させる。読み出されたレコーディングブロックはによってクラスタバッファメモリ４に書き込まれる。
【００６７】
システムコントローラ９は、パーソナルコンピュータ６０からのＦＡＴセクタのデータ（記録データ）をＵＳＢインターフェース６を介してメモリ転送コントローラ３に供給させ、クラスタバッファメモリ４上で、該当するＦＡＴセクタのデータの書き換えを実行させる。
【００６８】
システムコントローラ９は、メモリ転送コントローラ３に指示して、必要なＦＡＴセクタが書き換えられた状態でクラスタバッファメモリ４に記憶されているレコーディングブロックのデータを、記録データとしてメディアドライブ部２に転送させる。メディアドライブ部２では、そのレコーディングブロックの記録データを変調してディスク１００に書き込む。
【００６９】
システムコントローラ９に対して、入力キー５０が接続される。入力キー５０は、ディスクドライブに対して、記録、再生、モード設定、初期化等、各種のコマンドを入力する。
【００７０】
ディスクドライブ装置１に対して、例えばＬＣＤ(Liquid Crystal Display)からなるディスプレイ５１が設けられる。ディスプレイ５１は、テキストデータや簡単なアイコンなどの表示が可能とされ、システムコントローラ９から供給される表示制御信号に基づき、このディスクドライブ装置１の状態に関する情報や、ユーザに対するメッセージなどを表示する。
【００７１】
オーディオ処理部１０は、入力系として、例えばライン入力回路／マイクロホン入力回路等のアナログ音声信号入力部、Ａ／Ｄ変換器や、ディジタルオーディオデータ入力部を備える。また、オーディオ処理部１０はＡＴＲＡＣ圧縮エンコーダ／デコーダや、圧縮データのバッファメモリを備える。更に、オーディオ処理部１０は、出力系として、ディジタルオーディオデータ出力部や、Ｄ／Ａ変換器およびライン出力回路／ヘッドホン出力回路等のアナログ音声信号出力部を備える。
【００７２】
ディスク１００が既存のＭＤのディスクの場合には、ディスク１００に対してオーディオトラックが記録されるときに、オーディオ処理部１０にディジタルオーディオデータ（またはアナログ音声信号）が入力される。入力されたリニアＰＣＭディジタルオーディオデータ、あるいはアナログ音声信号で入力されＡ／Ｄ変換器で変換されて得られたリニアＰＣＭオーディオデータは、ＡＴＲＡＣ圧縮エンコードされ、バッファメモリに蓄積される。そして所定タイミング（ＡＤＩＰクラスタ相当のデータ単位）でバッファメモリから読み出されてメディアドライブ部２に転送される。メディアドライブ部２では、転送されてくる圧縮データを、ＥＦＭで変調してディスク１００にオーディオトラックとして書き込みを行う。
【００７３】
ディスク１００が既存のＭＤシステムのディスクの場合には、ディスク１００のオーディオトラックが再生されるときには、メディアドライブ部２は再生データをＡＴＲＡＣ圧縮データ状態に復調してオーディオ処理部１０に転送する。オーディオ処理部１０は、ＡＴＲＡＣ圧縮デコードを行ってリニアＰＣＭオーディオデータとし、ディジタルオーディオデータ出力部から出力する。あるいはＤ／Ａ変換器によりアナログ音声信号としてライン出力／ヘッドホン出力を行う。
【００７４】
なお、パーソナルコンピュータ６０との接続はＵＳＢでなく、ＩＥＥＥ(Institute of Electrical and Electronics Engineers)１３９４等の他の外部イン
ターフェースが用いられても良い。
【００７５】
図１０は、メディアドライブ部２の構成を示すものである。メディアドライブ部２は、既存のＭＤシステムのディスクと、次世代ＭＤのディスクとが装填されるターンテーブルを有しており。メディアドライブ部２では、ターンテーブルに装填されたディスク１００をスピンドルモータ２９によってＣＬＶ方式で回転駆動させる。このディスク１００に対しては記録／再生時に光学ヘッド１９によってレーザ光が照射される。
【００７６】
光学ヘッド１９は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド１９には、ここでは詳しい図示は省略するがレーザ出力手段としてのレーザダイオード、偏光ビームスプリッタや対物レンズ等からなる光学系、および反射光を検出するためのディテクタが搭載されている。光学ヘッド１９に備えられる対物レンズとしては、例えば２軸機構によってディスク半径方向およびディスクに接離する方向に変位可能に保持されている。
【００７７】
また、ディスク１００を挟んで光学ヘッド１９と対向する位置には磁気ヘッド１８が配置されている。磁気ヘッド１８は記録データによって変調された磁界をディスク１００に印加する動作を行う。また、図示しないが光学ヘッド１９全体および磁気ヘッド１８をディスク半径方向に移動させためスレッドモータおよびスレッド機構が備えられている。
【００７８】
光学ヘッド１９および磁気ヘッド１８は、次世代ＭＤ２のディスクの場合には、パルス駆動磁界変調を行うことで、微少なマークを形成することができる。現行ＭＤのディスクや、次世代ＭＤ１のディスクの場合には、磁界変調方式とされる。
【００７９】
このメディアドライブ部２では、光学ヘッド１９、磁気ヘッド１８による記録再生ヘッド系、スピンドルモータ２９によるディスク回転駆動系のほかに、記録処理系、再生処理系、サーボ系等が設けられる。
【００８０】
なお、ディスク１００としては、未使用ディスク１００ａと、既存ＭＤディスク１００ｂと、ブランクディスク１００ｃと、次世代ＭＤディスク１００ｄとが装着される可能性がある。既存ＭＤディスク１００ｂと次世代ＭＤディスク１００ｄとにより、線速度が異なっている。スピンドルモータ２９は、これら線速度の異なる複数種類のディスクに対応する回転速度で回転させることが可能である。ターンテーブルに装填されたディスク１００は、各ディスクの線速度とに対応して回転される。
【００８１】
記録処理系では、既存のＭＤシステムの場合に、オーディオトラックの記録時に、ＡＣＩＲＣでエラー訂正符号化を行い、ＥＦＭで変調してデータを記録する部位と、次世代ＭＤの場合に、ＢＩＳとＬＤＣを組み合わせた方式でエラー訂正符号化を行い、１−７ｐｐ変調で変調して記録する部位が設けられる。
【００８２】
再生処理系では、既存のＭＤシステムでの再生時に、ＥＦＭの復調とＡＣＩＲＣによるエラー訂正処理と、次世代ＭＤシステムでの再生時に、パーシャルレスポンスおよびビタビ復号を用いたデータ検出に基づく１−７復調と、ＢＩＳとＬＤＣによるエラー訂正処理とを行う部位が設けられる。
【００８３】
光学ヘッド１９のディスク１００に対するレーザ照射によりその反射光として検出された情報（フォトディテクタによりレーザ反射光を検出して得られる光電流）は、ＲＦアンプ２１に供給される。ＲＦアンプ２１では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク１００にトラックのウォブリングにより記録されているＡＤＩＰ情報）等を抽出する。
【００８４】
既存のＭＤディスク１００ｂを再生するときには、ＲＦアンプで得られた再生ＲＦ信号は、ＥＦＭ復調部２４およびＡＣＩＲＣデコーダ２５で処理される。すなわち再生ＲＦ信号は、ＥＦＭ復調部２４で２値化されてＥＦＭ信号列とされた後、ＥＦＭ復調され、更にＡＣＩＲＣデコーダ２５で誤り訂正およびデインターリーブ処理される。すなわちこの時点でＡＴＲＡＣ圧縮データの状態となる。そして既存のＭＤディスク１００ｂの再生時には、セレクタ２６はＢ接点側が選択されており、その復調されたＡＴＲＡＣ圧縮データがディスク１００からの再生データとして出力される。
【００８５】
一方、次世代ＭＤディスク１００ｄを再生するときには、ＲＦアンプで得られた再生ＲＦ信号は、ＲＬＬ（１−７）ＰＰ復調部２２およびＲＳ−ＬＤＣデコーダ２５で処理される。すなわち再生ＲＦ信号は、ＲＬＬ（１−７）ＰＰ復調部２２において、パーシャルレスポンスおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２３で誤り訂正およびデインターリーブ処理される。そして次世代ＭＤディスク１００ｄの再生時には、セレクタ２６はＡ接点側が選択されており、その復調されたデータがディスク１００からの再生データとして出力される。
【００８６】
ＲＦアンプ２１から出力されるトラッキングエラー信号ＴＥ、フォーカスエラー信号ＦＥはサーボ回路２７に供給され、グルーブ情報はＡＤＩＰ復調部３０に供給される。
【００８７】
ＡＤＩＰ復調部３０は、グルーブ情報に対してバンドパスフィルタにより帯域制限してウォブル成分を抽出した後、ＦＭ復調、バイフェーズ復調を行ってＡＤＩＰ信号を復調する。復調されたＡＤＩＰ信号は、アドレスデコーダ３２に供給される。
【００８８】
アドレスデコーダ３２でデコードされたＡＤＩＰアドレスは、ドライブコントローラ３１に供給される。ドライブコントローラ３１ではＡＤＩＰアドレスに基づいて、所要の制御処理を実行する。またグルーブ情報はスピンドルサーボ制御のためにサーボ回路２７に供給される。
【００８９】
サーボ回路２７は、例えばグルーブ情報に対して再生クロック（デコード時のＰＬＬ系クロック）との位相誤差を積分して得られる誤差信号に基づき、ＣＬＶサーボ制御のためのスピンドルエラー信号を生成する。
【００９０】
またサーボ回路２７は、スピンドルエラー信号や、ＲＦアンプ２１から供給されたトラッキングエラー信号、フォーカスエラー信号、あるいはドライブコントローラ３１からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。すなわち上記サーボエラー信号や指令に対して位相補償処理、ゲイン処理、目標値設定処理等の必要処理を行って各種サーボ制御信号を生成する。
【００９１】
モータドライバ２８では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。このようなサーボドライブ信号により、ディスク１００に対するフォーカス制御、トラッキング制御、およびスピンドルモータ２９に対するＣＬＶ制御が行われることになる。
【００９２】
既存のＭＤシステムでオーディオデータを記録するときには、セレクタ１６がＢ接点に接続され、したがってＡＣＩＲＣエンコーダ１４およびＥＦＭ変調部１５が機能することになる。この場合、オーディオ処理部１０からの圧縮データはＡＣＩＲＣエンコーダ１４でインターリーブおよびエラー訂正コード付加が行われた後、ＥＦＭ変調部１５でＥＦＭ変調が行われる。そしてＥＦＭ変調データがセレクタ１６を介して磁気ヘッドドライバ１７に供給され、磁気ヘッド１８がディスク１００に対してＥＦＭ変調データに基づいた磁界印加を行うことでオーディオトラックの記録が行われる。
【００９３】
次世代ＭＤシステムでデータを記録する時には、セレクタ１６がＡ接点に接続され、従ってＲＳ−ＬＤＣエンコーダ１２およびＲＬＬ（１−７）ＰＰ変調部１３が機能することになる。この場合、メモリ転送コントローラ３からの高密度データはＲＳ−ＬＤＣエンコーダ１２でインターリーブおよびＲＳ−ＬＤＣ方式のエラー訂正コード付加が行われた後、ＲＬＬ（１−７）ＰＰ変調部１３でＲＬＬ（１−７）変調が行われる。そしてＲＬＬ（１−７）符号列としての記録データがセレクタ１６を介して磁気ヘッドドライバ１７に供給され、磁気ヘッド１８がディスク１００に対して変調データに基づいた磁界印加を行うことでデータトラックの記録が行われる。
【００９４】
レーザドライバ／ＡＰＣ２０は、上記のような再生時および記録時においてレーザダイオードにレーザ発光動作を実行させるが、いわゆるＡＰＣ（Automatic 
Lazer Power Control）動作も行う。
【００９５】
すなわち、図示していないが、光学ヘッド１９内にはレーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
【００９６】
なお、レーザパワーとしては、再生レーザパワー、記録レーザパワーとしての値がドライブコントローラ３１によって、レーザドライバ／ＡＰＣ２０内部のレジスタにセットされる。
【００９７】
ドライブコントローラ３１は、システムコントローラ９からの指示に基づいて、以上の各動作（アクセス、各種サーボ、データ書込、データ読出の各動作）が実行されるように制御を行う。
５．初期化処理について
上述のように、本発明が適用された記録再生装置としてのディスクドライブ装置１では、既存のＭＤシステムでの記録再生と、次世代システムでの記録再生とが行える。次に、本発明の実施の形態でのディスクの初期化処理について説明する。
【００９８】
図１１は、初期化処理を示すフローチャートである。図１１において、ディスク１００が装着されたかどうかが判断され（ステップＳ１）、ディスク１００が装着されたら、そのディスク１００が未使用ディスク１００ａかどうかが判断される。未使用ディスク１００ａかどうかは、Ｕ−ＴＯＣ領域１０５があるかどうかにより判断できる。Ｕ−ＴＯＣ領域１０５がなければ、未使用ディスクであると判断される。
【００９９】
装着されたディスクが未使用ディスク１００ａの場合には、たとえば、「初期化しますか」の文字がディスプレイ５１に表示される（ステップＳ３）。ユーザは、初期化が必要な場合には、入力キー５０により、ユーザにより初期化入力が与えられる。ステップＳ３で、初期化入力が与えられたかどうかが判断され（ステップＳ４）、初期化入力が与えられた場合には、Ｕ−ＴＯＣ領域１０５が確保され、このＵ−ＴＯＣ領域１０５に、「音楽データなし」のＵ−ＴＯＣデータが記録される（ステップＳ５）。そして、エジェクト入力が与えられたかどうかが判断され（ステップＳ６）、エジェクト入力が与えられたら、ディスク１００が排出される（ステップＳ７）。ステップＳ４で初期化入力が与えられないときには、初期化処理が行われず、エジェクト入力が与えられたかどうかが判断され（ステップＳ６）、エジェクト入力が与えられたら、ディスク１００が排出される（ステップＳ７）。
【０１００】
ステップＳ２で、未使用ディスク１００ａではないと判断された場合には、入力キー５０により、ユーザからの初期化入力が与えられたかどうかが判断される（ステップＳ８）。初期化入力が与えられた場合には、Ｕ−ＴＯＣ領域１０５のＵ−ＴＯＣデータが、「音楽データなし」のＵ−ＴＯＣデータに書き換えられる（ステップＳ９）。そして、エジェクト入力が与えられたかどうかが判断され（ステップＳ６）、エジェクト入力が与えられたら、ディスク１００が排出される（ステップＳ７）。ステップＳ８で初期化入力が与えられないときには、初期化処理が行われず、エジェクト入力が与えられたかどうかが判断され（ステップＳ６）、エジェクト入力が与えられたら、ディスク１００が排出される（ステップＳ７）。
【０１０１】
このように、ディスク１００が装着されると、装着されたディスク１００が未使用ディスク１００ａの場合には、ユーザからの初期化入力により、Ｕ−ＴＯＣ領域１０５が確保され、このＵ−ＴＯＣ領域１０５に、「音楽データなし」のＵ−ＴＯＣデータが記録される。また、装着されたディスク１００が既存ＭＤディスク１００ｂや次世代ＭＤディスク１００ｄの場合には、Ｕ−ＴＯＣ領域１０５のＵ−ＴＯＣデータが「データ無し」のＵ−ＴＯＣデータに書き換えられる。「データ無し」のＵ−ＴＯＣデータが記録されたディスク１００は、図５に示したブランクディスク１００ｃである。したがって、初期化処理が行われると、装着されたディスク１００がどのようなディスクであっても、ブランクディスク１００ｃとなるように初期化される。
６．記録処理について
次に、本発明が適用された記録再生装置での記録処理について説明する。図１２は、本発明が適用された記録再生装置で記録を行う場合の処理を示すフローチャートである。
【０１０２】
図１２において、入力キー５０により、ユーザからの記録入力が与えられたかどうかが判断される（ステップＳ１１）。記録入力が与えられた場合には、装着されているディスク１００が未使用ディスク１００ａかどうかが判断される（ステップＳ１２）。装着されているディスク１００が未使用ディスク１００ａの場合には、Ｕ−ＴＯＣ領域１０５が確保され、このＵ−ＴＯＣ領域１０５に、「データ無し」のＵ−ＴＯＣデータが記録される（ステップＳ１３）。すなわち、ステップＳ１３の処理により、装着されたディスク１００は、ブランクディスク１００ｃとなるように初期化される。そして、既存ＭＤシステムで記録を行うか、次世代ＭＤシステムで記録を行うかの選択画面がディスプレイ５１に表示される（ステップＳ１４）。ユーザは、この選択画面により、既存ＭＤシステムで記録を行うか次世代ＭＤシステムで記録を行うかの選択を行い、これに応じて、入力キー５０が操作される。ステップＳ１５で、既存ＭＤシステムでの記録が選択されたか、次世代ＭＤシステムでの記録が選択されたかが判断される。
【０１０３】
ステップ１２で、装着されているディスク１００が未使用ディスク１００ａではないと判断された場合には、装着されているディスク１００がブランクディスク１００ｃかどうかが判断される（ステップＳ１６）。装着されているディスク１００がブランクディスク１００ｃの場合には、ステップＳ１４で、既存ＭＤシステムで記録を行うか、次世代ＭＤシステムで記録を行うかの選択画面がディスプレイ５１に表示され（ステップＳ１４）、この選択画面により、既存ＭＤシステムで記録を行うか次世代ＭＤシステムで記録を行うかの選択が行われ、ステップＳ１５で、既存ＭＤシステムでの記録が選択されたか、次世代ＭＤシステムでの記録が選択されたかが判断される。
【０１０４】
ステップＳ１６で、装着されているディスク１００がブランクディスク１００ｃではないと判断された場合には、装着されているディスク１００が既存ＭＤディスク１００ｂか次世代ＭＤディスク１００ｄかが判断される（ステップＳ１７）。
【０１０５】
ステップＳ１５で、次世代ＭＤではないと判断された場合、あるいは、ステップＳ１７で、装着されているディスク１００が次世代ＭＤディスク１００ｄではないと判断された場合には、既存ＭＤシステムでの記録が行われる（ステップＳ１８）。そして、記録が終了されたかどうかが判断され（ステップＳ１９）、記録が終了されたら、記録データに応じて、Ｕ−ＴＯＣのデータが書き換えられる（ステップＳ２０）。
【０１０６】
ステップＳ１５で、次世代ＭＤシステムでの記録が選択された場合、あるいは、ステップＳ１７で、装着されているディスク１００が次世代ＭＤディスク１００ｄであると判断された場合には、次世代ＭＤシステムでの記録が行われる（ステップＳ２１）。そして、記録が終了されたかどうかが判断され（ステップＳ２２）、記録が終了されたら、装着されていたディスク１００が次世代ＭＤディスク１００ｄであるかそれ以外のディスクであるかが判断される（ステップＳ２３）。
【０１０７】
装着されていたディスク１００が次世代ＭＤディスク１００ｄの場合には、記録データに応じて、ＦＡＴ管理領域１１３の書き換えが行われ、トラックインデックスファイルの書き換えが行われる（ステップＳ２４）。
【０１０８】
ステップＳ２３で、装着されていたディスク１００が次世代ＭＤディスク１００ｄ以外のディスクであると判断された場合には、このディスクは未使用ディスク１００ａであったので、記録データに応じて、ＦＡＴ管理領域１１３の作成、トラックインデックスファイルの作成が行われ（ステップＳ２5）、そして、アラートトラック１０６が記録され、アラートトラック１０６とＦＡＴ領域トラック１０７とに応じたＵ−ＴＯＣが記録される（ステップＳ２６）。
【０１０９】
なお、上述の例では、ステップＳ１６で、ブランクディスク１００ｃと判断された場合に、ステップＳ１４で、既存ＭＤシステムで記録を行うか、次世代ＭＤシステムで記録を行うかの選択画面がディスプレイ５１に表示され、既存ＭＤシステムでの記録と次世代ＭＤシステムでの記録とが選択できるようになっているが、デフォルトで、ステップＳ１６でブランクディスク１００ｃと判断された場合には、次世代ＭＤシステムでの記録を行うようにしてもよい。
７．ディスクの状態遷移
このように、本発明の実施の形態では、ディスク１００が初期化されると、ブランクディスク１００ｃになる。これにより、新規ＭＤシステムで使っていたディスクを初期化して、既存のＭＤシステムのディスクとして使ったり、その反対に、既存のＭＤシステムで使っていたディスクを初期化して、新規ＭＤシステムのディスクとして使うことができるようになる。このことを、図１３の状態遷移図を使って説明する。
【０１１０】
まず、未使用ディスク１００ａは、初期化処理が行われ（プロセスＰＲＣ１）、ブランクディスク１００ｃに遷移する。この初期化処理（プロセスＰＲＣ１）は、図１１のステップＳ５あるいは図１２のステップＳ１３で行われる。
【０１１１】
このように、ブランクディスク１００ｃに初期化された後に、データの記録処理が行われる。データの記録処理には、既存ＭＤシステムによる記録処理（プロセスＰＲＣ２）と、新規ＭＤシステムによる記録処理（プロセスＰＲＣ３）とが採り得る。既存ＭＤシステムによる記録処理（プロセスＰＲＣ２）は、図１２のステップＳ１８に対応する。新規ＭＤシステムによる記録処理（プロセスＰＲＣ３）は、ステップＳ２１に対応する。
【０１１２】
ブランクディスク１００ｃに対して、既存ＭＤシステムによる記録処理を行うと（プロセスＰＲＣ２）、既存ＭＤディスク１００ｂに遷移する。既存ＭＤディスク１００ｂに対して、既存ＭＤシステムによる記録処理を行っている限り（プロセスＰＲＣ２）、既存ＭＤディスク１００ｂの状態のままである。
【０１１３】
また、ブランクディスク１００ｃに対して、新規ＭＤシステムによる記録処理を行うと（プロセスＰＲＣ３）、新規ＭＤディスク１００ｄに遷移する。新規ＭＤディスク１００ｄに対して、既存ＭＤシステムによる記録処理を行っている限り（プロセスＰＲＣ２）、既存ＭＤディスク１００ｂの状態のままである。
【０１１４】
既存ＭＤディスク１００ｂに対して、初期化処理が行われると、（プロセスＰＲＣ１）、ブランクディスク１００ｃに遷移する。新規ＭＤディスク１００ｄに対して、初期化処理が行われると、（プロセスＰＲＣ１）、ブランクディスク１００ｃに遷移する。
【０１１５】
ブランクディスク１００ｃに初期化されると、その後、データの記録処理には、既存ＭＤシステムによる記録処理（プロセスＰＲＣ２）と、新規ＭＤシステムによる記録処理（プロセスＰＲＣ３）とが採り得る。このように、ブランクディスク１００ｃに初期化することで、新規ＭＤシステムで使っていたディスクを初期化して、既存のＭＤシステムのディスクとして使ったり、その反対に、既存のＭＤシステムで使っていたディスクを初期化して、新規ＭＤシステムのディスクとして使うことができるようになる。
【０１１６】
本発明は、上述した実施形態に限定されるものではなく、本発明の要旨を逸脱しない範囲内で様々な変形や応用が可能である。
【図面の簡単な説明】
【０１１７】
【図１】本発明が適用できるディスクの説明に用いる平面図である。
【図２】未使用ディスクの説明に用いる図である。
【図３】既存ＭＤディスクの説明に用いる図である。
【図４】Ｕ−ＴＯＣの構成を示す図である。
【図５】ブランクディスクの説明に用いる図である。
【図６】新規ＭＤディスクの説明に用いる図である。
【図７】新規ＭＤディスクの音楽データの管理の説明に用いる図である。
【図８】新規ＭＤディスクの音楽データの管理の説明に用いる図である。
【図９】既存ＭＤディスクと新規ＭＤディスクとが記録再生可能な記録再生装置の一例のブロック図である。
【図１０】既存ＭＤディスクと新規ＭＤディスクとが記録再生可能な記録再生装置の一例のブロック図である。
【図１１】初期化処理の説明に用いるフローチャートである。
【図１２】記録処理の説明に用いるフローチャートである。
【図１３】初期化および記録再生を行ったときのディスクの状態を示す状態遷移図である。
【符号の説明】
【０１１８】
１００ａ…未使用ディスク、１００ｂ…既存ディスク、１００ｃ…ブランクディスク、１００ｄ…新規ＭＤディスク、１０１…リードイン領域、１０２…レコーダブル領域、１０３…リードアウト領域、１０５…Ｕ−ＴＯＣ領域、１０６…アラートトラック、１０７…ＦＡＴ領域トラック、１１３…ＦＡＴ管理領域
【図１】
2005056531.tif 000003
【図２】
2005056531.tif 000004
【図３】
2005056531.tif 000005
【図４】
2005056531.tif 000006
【図５】
2005056531.tif 000007
【図６】
2005056531.tif 000008
【図７】
2005056531.tif 000009
【図８】
2005056531.tif 000010
【図９】
2005056531.tif 000011
【図１０】
2005056531.tif 000012
【図１１】
2005056531.tif 000013
【図１２】
2005056531.tif 000014
【図１３】
2005056531.tif 000015